【手続補正書】
【提出日】令和2年12月25日(2020.12.25)
【手続補正１】
【補正対象書類名】特許請求の範囲
【補正対象項目名】全文
【補正方法】変更
【補正の内容】
【特許請求の範囲】
【請求項１】
熱可塑性樹脂と、
少なくとも１種の置換トリアジンフェノレート塩を含む帯電強化添加剤と、
を含む、エレクトレットウェブ。
【請求項２】
前記帯電強化添加剤が、下記の構造：
【化１】
2020505481.tif 000001
［式中、Ｒ１、Ｒ３、及びＲ４はそれぞれ独立して、水素原子、あるいはアルキル若しくは置換アルキル又はアリール若しくは置換アリール基を含む置換基を含み、
Ｒ２は、ハロゲン原子、アルキル若しくは置換アルキル基、アルケニル基、アリール若しくは置換アリールを含む置換基、又は−Ｏ−Ｒ１１、−Ｎ−Ｒ１１Ｒ１２、−Ｂ（ＯＲ１３）（ＯＲ１４）、若しくは−ＳｉＲ１５３を含む基であり、Ｒ１１は、水素原子、アルキル基、アルケニル基、アリール基、又は１つ以上の酸素、窒素、硫黄、若しくはリン原子を含むヘテロ原子含有基を含み、Ｒ１２は、水素原子、アルキル基、アルケニル基、アリール基、又は１つ以上の酸素、窒素、硫黄、若しくはリン原子を含むヘテロ原子含有基を含むか、あるいはＲ１１及びＲ１２は、それらを結合している原子と共に複素環構造を形成し、
各Ｒ１３及びＲ１４は、独立して、水素原子、アルキル基、アリール基であるか、又はＲ１３及びＲ１４は、結合している原子と共に複素環構造を形成し、
各Ｒ１５はアルキル基であり、
各Ｒ５及びＲ６は、独立して、水素原子、アルキル基、置換アルキル基、アルケニル基、アリール基、置換アリール基、又はハロゲン原子を含み、
ｎは、１〜４の整数であり、
Ｍは、価数ｎの遷移金属原子又は主族金属原子を含む］
を有する置換トリアジンフェノレートアニオン及び金属カチオンを含む、請求項１に記載のエレクトレットウェブ。
【請求項３】
前記帯電強化添加剤が、下記の構造：
【化２】
2020505481.tif 000002
［式中、各Ｒ１、Ｒ３、Ｒ４、Ｒ５、Ｒ７、Ｒ８、及びＲ１０は独立して、水素原子、アルキル基、アルケニル基、アリール基、又はハロゲン原子を含み、
Ｒ２及びＲ９は独立して、水素原子又は置換基を含み、Ｒ２及びＲ９のうちの少なくとも１つは、ハロゲン原子、アルキル若しくは置換アルキル基、アルケニル基、アリール若しくは置換アリールを含む置換基、又は−Ｏ−Ｒ１１、−Ｎ−Ｒ１１Ｒ１２、−Ｂ（ＯＲ１３）（ＯＲ１４）、若しくは−ＳｉＲ１５３を含む基であり、Ｒ１１は、水素原子、アルキル基、アルケニル基、アリール基、又は１つ以上の酸素、窒素、硫黄若しくはリン原子を含むヘテロ原子含有基を含み、Ｒ１２は、水素原子、アルキル基、アルケニル基、アリール基、又は１つ以上の酸素、窒素、硫黄、若しくはリン原子を含むヘテロ原子含有基を含むか、あるいはＲ１１及びＲ１２は、結合している原子と共に複素環構造を形成し、
各Ｒ１３及びＲ１４は、独立して、水素原子、アルキル基、アリール基であるか、又はＲ１３及びＲ１４は、結合している原子と共に複素環構造を形成し、
各Ｒ１５基はアルキル基であり、
ｍ＝０．５、１、又は２であり、
Ｍは、価数２ｍの遷移金属原子又は主族金属原子を含む］
を有する置換トリアジンフェノレートアニオン及び金属カチオンを含む、請求項１に記載
【請求項４】
前記帯電強化添加剤が、前記ウェブの０．０１〜５．０重量％を構成する、請求項１に記載のエレクトレットウェブ。
【請求項５】
エレクトレット濾過材を含む、請求項１に記載のエレクトレットウェブ。
【手続補正２】
【補正対象書類名】明細書
【補正対象項目名】００７４
【補正方法】変更
【補正の内容】
【００７４】
性能データを表４にまとめる。
【表５】
2020505481.tif 000003
【表６】
2020505481.tif 000004
本発明は以下の態様を包含する。
（項目１）
熱可塑性樹脂と、
少なくとも１種の置換トリアジンフェノレート塩を含む帯電強化添加剤と、
を含む、エレクトレットウェブ。
（項目２）
前記ウェブが不織繊維ウェブを含む、項目１に記載のエレクトレットウェブ。
（項目３）
前記ウェブがフィルムを含む、項目１に記載のエレクトレットウェブ。
（項目４）
前記帯電強化添加剤が、下記の構造：
【化５】
2020505481.tif 000005
［式中、Ｒ１、Ｒ３、及びＲ４はそれぞれ独立して、水素原子、あるいはアルキル若しくは置換アルキル又はアリール若しくは置換アリール基を含む置換基を含み、
Ｒ２は、ハロゲン原子、アルキル若しくは置換アルキル基、アルケニル基、アリール若しくは置換アリールを含む置換基、又は−Ｏ−Ｒ１１、−Ｎ−Ｒ１１Ｒ１２、−Ｂ（ＯＲ１３）（ＯＲ１４）、若しくは−ＳｉＲ１５３を含む基であり、Ｒ１１は、水素原子、アルキル基、アルケニル基、アリール基、又は１つ以上の酸素、窒素、硫黄、若しくはリン原子を含むヘテロ原子含有基を含み、Ｒ１２は、水素原子、アルキル基、アルケニル基、アリール基、又は１つ以上の酸素、窒素、硫黄、若しくはリン原子を含むヘテロ原子含有基を含むか、あるいはＲ１１及びＲ１２は、それらを結合している原子と共に複素環構造を形成し、
各Ｒ１３及びＲ１４は、独立して、水素原子、アルキル基、アリール基であるか、又はＲ１３及びＲ１４は、結合している原子と共に複素環構造を形成し、
各Ｒ１５はアルキル基であり、
各Ｒ５及びＲ６は、独立して、水素原子、アルキル基、置換アルキル基、アルケニル基、アリール基、置換アリール基、又はハロゲン原子を含み、
ｎは、１〜４の整数であり、
Ｍは、価数ｎの遷移金属原子又は主族金属原子を含む］
を有する置換トリアジンフェノレートアニオン及び金属カチオンを含む、項目１に記載のエレクトレットウェブ。
（項目５）
ｎ＝１であり、Ｍは、リチウム、ナトリウム、又はカリウムを含む、項目４に記載のエレクトレットウェブ。
（項目６）
ｎ＝２であり、Ｍは、カルシウム、マグネシウム、又はコバルトを含む、項目４に記
載のエレクトレットウェブ。
（項目７）
Ｒ２が、１〜２０個の炭素原子を有するアルコキシ基を含み、各Ｒ５及びＲ６が、独立してアリール基又は置換アリール基を含む、項目４に記載のエレクトレットウェブ。
（項目８）
Ｒ２が、１〜１０個の炭素原子を有するアルコキシ基を含み、各Ｒ５及びＲ６が、独立してフェニル基を含む、項目４に記載のエレクトレットウェブ。
（項目９）
Ｒ２が、１〜２０個の炭素原子を有する置換アルコキシ基を含み、各Ｒ５及びＲ６が、独立して置換アリール基を含む、項目４に記載のエレクトレットウェブ。
（項目１０）
Ｒ２が、エステル置換アルコキシ基を含む、１〜１２個の炭素原子を有する置換アルコキシ基を含み、各Ｒ５及びＲ６が、独立してフェニル置換フェニル基を含む、項目４に記載のエレクトレットウェブ。
（項目１１）
前記帯電強化添加剤が、下記の構造：
【化６】
2020505481.tif 000006
［式中、各Ｒ１、Ｒ３、Ｒ４、Ｒ５、Ｒ７、Ｒ８、及びＲ１０は独立して、水素原子、アルキル基、アルケニル基、アリール基、又はハロゲン原子を含み、
Ｒ２及びＲ９は独立して、水素原子又は置換基を含み、Ｒ２及びＲ９のうちの少なくとも１つは、ハロゲン原子、アルキル若しくは置換アルキル基、アルケニル基、アリール若しくは置換アリールを含む置換基、又は−Ｏ−Ｒ１１、−Ｎ−Ｒ１１Ｒ１２、−Ｂ（ＯＲ１３）（ＯＲ１４）、若しくは−ＳｉＲ１５３を含む基であり、Ｒ１１は、水素原子、アルキル基、アルケニル基、アリール基、又は１つ以上の酸素、窒素、硫黄若しくはリン原子を含むヘテロ原子含有基を含み、Ｒ１２は、水素原子、アルキル基、アルケニル基、アリール基、又は１つ以上の酸素、窒素、硫黄、若しくはリン原子を含むヘテロ原子含有基を含むか、あるいはＲ１１及びＲ１２は、結合している原子と共に複素環構造を形成し、
各Ｒ１３及びＲ１４は、独立して、水素原子、アルキル基、アリール基であるか、又はＲ１３及びＲ１４は、結合している原子と共に複素環構造を形成し、
各Ｒ１５基はアルキル基であり、
ｍ＝０．５、１、又は２であり、
Ｍは、価数２ｍの遷移金属原子又は主族金属原子を含む］
を有する置換トリアジンフェノレートアニオン及び金属カチオンを含む、項目１に記載のエレクトレットウェブ。
（項目１２）
ｍ＝０．５であり、Ｍが、リチウム、ナトリウム、又はカリウムである、項目１１に記載のエレクトレットウェブ。
（項目１３）
ｍ＝１であり、Ｍが、カルシウム、マグネシウム、又はコバルトである、項目１１に記載のエレクトレットウェブ。
（項目１４）
ｍ＝２であり、Ｍが、バナジウム又はチタンである、項目１１に記載のエレクトレットウェブ。
（項目１５）
Ｒ２及びＲ９がそれぞれ、１〜２０個の炭素原子を有するアルコキシ基を含む、項目１１に記載のエレクトレットウェブ。
（項目１６）
各Ｒ１、Ｒ３、Ｒ４、Ｒ７、Ｒ８、及びＲ１０が水素原子を含み、Ｒ２及びＲ９がそれぞれ−Ｏ−Ｒ１１基を含み、Ｒ１１が８個の炭素原子を有するアルキル基を含み、Ｒ５が３−メトキシフェニル基を含む、項目１１に記載のエレクトレットウェブ。
（項目１７）
前記熱可塑性樹脂が、ポリオレフィン、ポリ塩化ビニル、ポリスチレン、ポリカーボネート、又はポリエステルを含む、項目１に記載のエレクトレットウェブ。
（項目１８）
前記帯電強化添加剤が、前記ウェブの０．０１〜５．０重量％を構成する、項目１に記載のエレクトレットウェブ。
（項目１９）
前記ウェブが静電荷を持ち、前記電荷が、コロナ処理、ハイドロチャージング、又はこれらの組み合わせによって付与される、項目１に記載のエレクトレットウェブ。
（項目２０）
前記ウェブが静電荷を持ち、前記電荷が、コロナ処理によって付与される、項目１に記載のエレクトレットウェブ。
（項目２１）
前記ウェブが、顔料、光安定剤、一次及び二次酸化防止剤、金属不活化剤、ヒンダードアミン、ヒンダードフェノール、脂肪酸金属塩、亜リン酸トリエステル、リン酸塩、フッ素含有化合物、核形成剤、並びにこれらの組み合わせから選択される少なくとも１種の追加の添加剤を更に含む、項目１に記載のエレクトレットウェブ。
（項目２２）
エレクトレット濾過材を含む、項目１に記載のエレクトレットウェブ。
（項目２３）
Ｘ線放電試験に従って試験した場合、前記濾過材が、６．９センチメートル／秒の面速度で少なくとも３００％の透過率％を有する、項目２２に記載のエレクトレット濾過材。
（項目２４）
Ｘ線放電試験に従って試験した場合、前記濾過材が、６．９センチメートル／秒の面速度で少なくとも０．３（ｍｍのＨ２Ｏ）−１の初期品質係数を有し、６０分間のＸ線曝露後は、前記初期品質係数の５０％未満の品質係数を有する、項目２２に記載のエレクトレット濾過材。
（項目２５）
前記濾過材が、７１℃で７２時間のエージング後に、品質係数により測定される濾過性
能を少なくとも８５％保持する、項目２２に記載のエレクトレット濾過材。